(57)【要約】【課題】利用者の現在位置に基づいて複数の印刷装置から選択される印刷装置において利用者が登録した印刷情報を印刷する印刷プログラム及び情報処理装置を提供する。【解決手段】印刷サーバ１は、印刷情報１１２及び利用者識別情報を受け付ける印刷情報受付手段１００と、印刷情報１１２を利用者識別情報に関連付けて記憶部１１に登録する印刷情報登録手段１０２と、外部から電話の通話を受信するとともに、当該電話の現在位置の情報を取得する電話受信部１３と、受信した通話の発信元の電話番号と、利用者情報１１１とに基づいて利用者識別情報を特定し、さらに印刷情報１１２を特定する印刷情報特定手段１０３と、受信した電話の現在位置の情報と、複合機情報１１４とに基づいて複合機を特定する複合機特定手段１０４と、特定された印刷情報１１２を、特定された複合機に送信する印刷情報送信手段１０５とを有する。【選択図】図２
2013065263.tif 000002
【特許請求の範囲】
【請求項１】
コンピュータを、
印刷情報及び利用者識別情報を受け付ける受付手段と、
受付手段が受け付けた前記印刷情報を前記利用者識別情報に関連付けて記憶装置に登録する登録手段と、
外部から電話回線の通話を受信するとともに、当該通話の相手の電話機の現在位置の情報を取得する電話受信手段と、
前記電話受信手段が受信した通話の発信元の電話番号と、前記記憶装置に記憶された利用者識別情報と利用者の電話番号とを関連付ける利用者情報とに基づいて利用者識別情報を特定し、当該利用者識別情報に関連付けられた印刷情報を特定する印刷情報特定手段と、
前記通話の相手の電話機の現在位置の情報と、前記記憶装置に記憶された印刷装置と印刷装置の設置位置とを関連付ける印刷装置情報とに基づいて印刷装置を特定する印刷装置特定手段と、
特定された前記印刷情報を、特定された前記印刷装置に送信する送信手段として機能させるための印刷プログラム。
【請求項２】
前記電話受信手段は、前記利用者情報と関連付けられた一時的なパスワードを前記電話機に通知し、
前記印刷情報特定手段は、印刷装置において当該一時的なパスワードが入力された場合に、当該一時的なパスワードに関連付けられた利用者情報を特定し、特定した当該利用者情報に関連付けられた印刷情報を特定する請求項１に記載の印刷プログラム。
【請求項３】
前記電話受信手段は、前記通話の相手の電話機の現在位置の情報を前記電話機が有する現在位置取得部から取得する請求項１に記載の印刷プログラム。
【請求項４】
前記電話受信手段は、前記通話の相手の電話機の現在位置の情報を前記電話機の通信回線を逆探知して取得する請求項１に記載の印刷プログラム。
【請求項５】
印刷情報及び利用者識別情報を受け付ける受付手段と、
受付手段が受け付けた前記印刷情報を前記利用者識別情報に関連付けて記憶装置に登録する登録手段と、
外部から電話回線の通話を受信するとともに、当該通話の相手の電話機の現在位置の情報を取得する電話受信手段と、
前記電話受信手段が受信した通話の発信元の電話番号と、前記記憶装置に記憶された利用者識別情報と利用者の電話番号とを関連付ける利用者情報とに基づいて利用者識別情報を特定し、当該利用者識別情報に関連付けられた印刷情報を特定する印刷情報特定手段と、
前記通話の相手の電話機の現在位置の情報と、前記記憶装置に記憶された印刷装置と印刷装置の設置位置とを関連付ける印刷装置情報とに基づいて印刷装置を特定する印刷装置特定手段と、
特定された前記印刷情報を、特定された前記印刷装置に送信する送信手段とを有する情報処理装置。
【発明の詳細な説明】
【技術分野】
【０００１】
本発明は、印刷プログラム及び情報処理装置に関する。
【背景技術】
【０００２】
従来の技術として、携帯電話機の地理的情報を利用して端末装置にコンテンツ情報を配信するコンテンツ配信システムが提案されている（例えば、特許文献１参照）。
【０００３】
特許文献１には、地理的情報を取得可能な携帯電話と、コンテンツ情報を再生可能な端末装置と、携帯電話と通信することで携帯電話から地理的情報を受信して携帯電話の現在位置を特定し、現在位置の付近に設置された端末装置に現在位置と関連付けられたコンテンツ情報を配信するコンテンツ配信装置とを有するコンテンツ配信システムが示されている。
【先行技術文献】
【特許文献】
【０００４】
【特許文献１】特開２００８−２６２４９５号公報
【発明の概要】
【発明が解決しようとする課題】
【０００５】
本発明の目的は、利用者の現在位置に基づいて複数の印刷装置から選択される印刷装置において利用者が登録した印刷情報を印刷する印刷プログラム及び情報処理装置を提供することにある。
【課題を解決するための手段】
【０００６】
本発明の一態様は、上記目的を達成するため、以下の印刷プログラム及び情報処理装置を提供する。
【０００７】
［１］コンピュータを、
印刷情報及び利用者識別情報を受け付ける受付手段と、
受付手段が受け付けた前記印刷情報を前記利用者識別情報に関連付けて記憶装置に登録する登録手段と、
外部から電話回線の通話を受信するとともに、当該通話の相手の電話機の現在位置の情報を取得する電話受信手段と、
前記電話受信手段が受信した通話の発信元の電話番号と、前記記憶装置に記憶された利用者識別情報と利用者の電話番号とを関連付ける利用者情報とに基づいて利用者識別情報を特定し、当該利用者識別情報に関連付けられた印刷情報を特定する印刷情報特定手段と、
前記通話の相手の電話機の現在位置の情報と、前記記憶装置に記憶された印刷装置と印刷装置の設置位置とを関連付ける印刷装置情報とに基づいて印刷装置を特定する印刷装置特定手段と、
特定された前記印刷情報を、特定された前記印刷装置に送信する送信手段として機能させるための印刷プログラム。
【０００８】
［２］前記電話受信手段は、前記利用者情報と関連付けられた一時的なパスワードを前記電話機に通知し、
前記印刷情報特定手段は、印刷装置において当該一時的なパスワードが入力された場合に、当該一時的なパスワードに関連付けられた利用者情報を特定し、特定した当該利用者情報に関連付けられた印刷情報を特定する前記［１］に記載の印刷プログラム。
【０００９】
［３］前記電話受信手段は、前記通話の相手の電話機の現在位置の情報を前記電話機が有する現在位置取得部から取得する前記［１］に記載の印刷プログラム。
【００１０】
［４］前記電話受信手段は、前記通話の相手の電話機の現在位置の情報を前記電話機の通信回線を逆探知して取得する前記［１］に記載の印刷プログラム。
【００１１】
［５］印刷情報及び利用者識別情報を受け付ける受付手段と、
受付手段が受け付けた前記印刷情報を前記利用者識別情報に関連付けて記憶装置に登録する登録手段と、
外部から電話回線の通話を受信するとともに、当該通話の相手の電話機の現在位置の情報を取得する電話受信手段と、
前記電話受信手段が受信した通話の発信元の電話番号と、前記記憶装置に記憶された利用者識別情報と利用者の電話番号とを関連付ける利用者情報とに基づいて利用者識別情報を特定し、当該利用者識別情報に関連付けられた印刷情報を特定する印刷情報特定手段と、
前記通話の相手の電話機の現在位置の情報と、前記記憶装置に記憶された印刷装置と印刷装置の設置位置とを関連付ける印刷装置情報とに基づいて印刷装置を特定する印刷装置特定手段と、
特定された前記印刷情報を、特定された前記印刷装置に送信する送信手段とを有する情報処理装置。
【発明の効果】
【００１２】
請求項１又は５に係る発明によれば、利用者の現在位置に基づいて複数の印刷装置から選択される印刷装置において利用者が登録した印刷情報を印刷することができる。
【００１３】
請求項２に係る発明によれば、一時的なパスワードによって利用者情報及び印刷情報を特定することができる。
【００１４】
請求項３に係る発明によれば、電話の現在位置の情報を現在位置取得部から取得することができる。
【００１５】
請求項４に係る発明によれば、電話の現在位置の情報を電話の通信回線を逆探知して取得することができる。
【図面の簡単な説明】
【００１６】
【図１】図１は、本発明の実施の形態に係る印刷システムの構成の一例を示す概略図である。
【図２】図２は、本発明の実施の形態に係る印刷サーバの構成の一例を示すブロック図である。
【図３】図３は、利用者情報の構成の一例を示す概略図である。
【図４】図４は、印刷関連情報の構成の一例を示す概略図である。
【図５】図５は、複合機情報の構成の一例を示す概略図である。
【図６】図６は、印刷サーバの動作の一例を示すフローチャートである。
【発明を実施するための形態】
【００１７】
［実施の形態］
（印刷システムの構成）
図１は、本発明の実施の形態に係る印刷システムの構成の一例を示す概略図である。
【００１８】
印刷システム６は、印刷サーバ１、端末装置２、複合機３、携帯電話機４等を有し、ネットワーク５で互いに通信可能に接続する。
【００１９】
印刷サーバ１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、端末装置２から画像や文書等の印刷情報２００を受信して利用者情報に関連付けて保存する。また、印刷サーバ１は、複合機３の要求に応じて利用者情報の認証後、利用者情報に関連付けられた印刷情報２００を複合機３に送信する。
【００２０】
端末装置２は、操作入力用のキーボード、マウス、タッチパッド等の操作部と、液晶ディスプレイ等の表示部と、ＣＰＵや記憶部等の電子部品を有する制御部とを備える。端末装置２は、印刷サーバ１に利用者の操作に応じた要求を送信し、その要求に対する応答を受信して、受信した内容を制御部で処理した結果を表示部に表示する。
【００２１】
なお、端末装置２は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末装置２は、同図では１台を図示するが、複数台でもよい。
【００２２】
複合機３は、本実施の形態では印刷装置の一例であり、印刷サーバ１から受信する印刷情報に基づいて印刷を実行し、印刷物を出力する印刷機能を少なくとも有し、さらに紙面等を光学走査するスキャナ機能やファクシミリ機能等を有してもよい。また、ＬＣＤ（Ｌｉｑｕｉｄ  Ｃｒｙｓｔａｌ  Ｄｉｓｐｌａｙ）等の表示部、タッチパッド又は複数の操作キーからなる操作部とを有する。また、複合機３は、異なる地点に複数台設置されるものであるが、同図では代表して１台を図示する。
【００２３】
携帯電話機４は、予め定められた電話番号に電話をかけることで図示しない無線通信網を介して印刷サーバ１と通信する。また、携帯電話機４は、現在位置取得部の一例としてＧＰＳ（Ｇｌｏｂａｌ  Ｐｏｓｉｔｉｏｎｉｎｇ  Ｓｙｓｔｅｍ）機能を有し、携帯電話機４の現在位置を取得する。
【００２４】
ネットワーク５は、インターネット、ＬＡＮ（Ｌｏｃａｌ  Ａｒｅａ  Ｎｅｔｗｏｒｋ）等の通信網であり、有線、無線は問わない。
【００２５】
（印刷サーバの構成）
図２は、本発明の実施の形態に係る印刷サーバの構成の一例を示すブロック図である。
【００２６】
この印刷サーバ１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記憶媒体から構成され情報を記憶する記憶部１１と、ネットワーク５を介して外部と通信する通信部１２と、無線通信網を介して携帯電話機４からの通話を受信する電話受信部１３とを備える。
【００２７】
制御部１０は、後述する印刷プログラム１１０を実行することで、印刷情報受付手段１００、予約番号発行手段１０１、印刷情報登録手段１０２、印刷情報特定手段１０３、複合機特定手段１０４、印刷情報送信手段１０５及び印刷情報一覧作成手段１０６等として機能する。
【００２８】
印刷情報受付手段１００は、端末装置２等から印刷情報２００及び端末装置２を利用する利用者を識別する利用者識別情報を受け付ける。
【００２９】
予約番号発行手段１０１は、印刷情報受付手段１００が受け付けた印刷情報２００に対して付与される予約番号を発行する。予約番号は、例えば、複数の数字や文字列からなり、印刷情報登録手段１０２によって印刷情報２００に関連付けられる。その後、利用者によって予約番号が複合機３に入力されることで複合機３が印刷サーバ１に予約番号に関連付けられた印刷情報の送信を要求し、印刷サーバ１から複合機３に関連付けられた印刷情報が送信される。
【００３０】
印刷情報登録手段１０２は、印刷情報受付手段１００が受け付けた印刷情報２００を記憶部１１に印刷情報１１２として登録し、印刷情報１１２と利用者識別情報と予約番号との関連付けの情報を記憶部１１に印刷関連情報１１３として登録する。
【００３１】
印刷情報特定手段１０３は、電話受信部１３において受信した通話の発信元の電話番号と、記憶部１１に記憶された後述する利用者情報１１１とに基づいて利用者識別情報を特定し、印刷関連情報１１３に基づいて当該利用者識別情報に関連付けられた印刷情報１１２を特定する。
【００３２】
複合機特定手段１０４は、電話受信部１３において受信した携帯電話機４の位置情報と、記憶部１１に記憶された後述する複合機情報１１４とに基づいて印刷情報１１２を送信すべき複合機を特定する。なお、携帯電話機４の位置情報は、ネットワーク５を介して受信するものであってもよい。
【００３３】
印刷情報送信手段１０５は、印刷情報特定手段１０３が特定した印刷情報１１２を、複合機特定手段１０４が特定した複合機に送信する。
【００３４】
印刷情報一覧作成手段１０６は、複数の印刷情報を登録している利用者から電話の着信があった場合、登録されている複数の印刷情報の一覧情報を作成する。作成された一覧情報は、印刷情報送信手段１０５によって複合機３に送信される。
【００３５】
記憶部１１は、印刷プログラム１１０、利用者情報１１１、印刷情報１１２、印刷関連情報１１３及び複合機情報１１４等を格納する。
【００３６】
印刷プログラム１１０は、制御部１０を上記した各手段１００〜１０５として動作させるプログラムである。
【００３７】
利用者情報１１１は、利用者識別情報及び電話番号等をそれぞれ関連付けた情報である。
【００３８】
印刷情報１１２は、印刷情報受付手段１００が受け付けた印刷情報である。
【００３９】
印刷関連情報１１３は、印刷情報１１２と利用者識別情報と予約番号とを関連付ける情報である。
【００４０】
複合機情報１１４は、複合機の識別情報と複合機の配置された位置情報とを関連付ける情報である。
【００４１】
電話受信部１３は、携帯電話機４の着信を受信する。また、携帯電話機４の位置情報を受信する。なお、位置情報は、通信部１２がネットワーク５を介して受信するものであってもよい。
【００４２】
図３は、利用者情報１１１の構成の一例を示す概略図である。
【００４３】
利用者情報１１１は、利用者の詳細を示す情報であり、利用者識別情報を示す利用者ＩＤと、利用者識別情報に対して予め定められたパスワードと、利用者のメールアドレスを示すメールアドレスと、利用者の電話番号を示す電話番号とを有する。
【００４４】
図４は、印刷関連情報１１３の構成の一例を示す概略図である。
【００４５】
印刷関連情報１１３は、利用者識別情報を示す利用者ＩＤと、利用者識別情報と関連付けられる印刷情報と、予約番号発行手段１０１によって印刷情報に割り振られた予約番号とを有する。
【００４６】
図５は、複合機情報１１４の構成の一例を示す概略図である。
【００４７】
複合機情報１１４は、複合機の識別情報を示す複合機ＩＤと、複合機が設置された位置情報とを有する。
【００４８】
（印刷システムの動作）
次に、本実施の形態の作用を、（１）印刷情報の受付動作、（２）印刷情報の送信動作、（３）印刷動作に分けて説明する。
【００４９】
（１）印刷情報の受付動作
まず、利用者は、端末装置２を操作して印刷を所望する印刷情報２００を印刷サーバ１に登録すべく、印刷サーバ１と通信する。通信の際、利用者は、最初に利用者識別情報の利用者ＩＤとパスワードを入力し、印刷サーバ１に認証を要求する。
【００５０】
印刷サーバ１は、認証要求とともに利用者ＩＤとパスワードを受信し、利用者情報１１１を参照して認証する。登録された利用者である場合、認証が成功したと判断し、印刷情報２００の登録が可能になった旨を端末装置２に通知する。
【００５１】
次に、利用者は印刷情報２００を印刷サーバ１に登録すべく端末装置２を操作する。端末装置２は、登録要求とともに印刷情報２００を印刷サーバ１に送信する。
【００５２】
印刷サーバ１は、登録要求とともに印刷情報２００を受信し、印刷情報１１２として記憶部１１に格納し、認証された利用者ＩＤ及び発行される予約番号と格納した印刷情報１１２を関連付けるために印刷関連情報１１３を登録する。その際、発行された予約番号を端末装置２に送信する。
【００５３】
端末装置２は、予約番号を受信し、表示部に表示して利用者に提示する。利用者は、予約番号をメモに書き留める等して、印刷を実行するために複合機３へ移動する。
【００５４】
従来、利用者は、複合機３の操作部を操作して発行された予約番号を入力し、複合機３は入力された予約番号を印刷サーバ１に送信することで印刷サーバ１から印刷情報１１２を受信し、印刷情報１１２の印刷を実行していた。本発明の実施の形態においては、利用者は予約番号を入力せず、携帯電話機４から電話をかけることで印刷サーバ１と通信し、通信を受けた印刷サーバ１が印刷情報１１２を複合機３に送信する。複合機３は受信した印刷情報１１２の印刷を実行する。以下、携帯電話機４を利用して印刷を実行するための動作を説明する。なお、電話番号は、複合機３に表示しておく等して利用者に知らせてもよいし、印刷情報１１２の登録の際に端末装置２の表示部に表示して知らせてもよい。
【００５５】
（２）印刷情報の送信動作
図６は、印刷サーバの動作の一例を示すフローチャートである。
【００５６】
まず、電話受信部１３は、携帯電話機４からの電話を受信する（Ｓ１０）。本実施の形態において、携帯電話機４が発信する電話番号は、複数の複合機に共通するものである。
【００５７】
次に、印刷情報特定手段１０３は、電話受信部１３において受信した電話の発信元の電話番号と、記憶部１１に記憶された利用者情報１１１とに基づいて利用者ＩＤを特定する（Ｓ１１）。例えば、図３に示すように、電話番号「０３−ｘｘ−ｘｘｘｘ」から着信があると、利用者ＩＤが「０００１」であると特定する。
【００５８】
次に、印刷情報特定手段１０３は、印刷関連情報１１３に基づいて当該利用者ＩＤに関連付けられた印刷情報１１２を特定する（Ｓ１２）。図４に示すように、利用者識別情報が「０００１」である場合、印刷情報は「Ａ」、「Ｂ」又は「Ｃ」のいずれかである。
【００５９】
ここで、いずれの印刷情報を印刷するかについては、通話中の携帯電話機４に対して音声ガイド等を用いて通知し、利用者に選択させてもよいし、複合機３の表示部にその旨表示して選択させてもよい。複合機３の表示部に表示する場合は、印刷情報一覧作成手段１０６が印刷情報の一覧できる情報を一覧情報として作成し、印刷情報送信手段１０５が複合機３に一覧情報を送信する。
【００６０】
次に、複合機特定手段１０４は、携帯電話機４から受信する位置情報と、記憶部１１に記憶された複合機情報１１４とに基づいて印刷情報１１２を送信すべき複合機を特定する（Ｓ１３）。例えば、図５に示すように、携帯電話機４の現在位置が「Ｎ３５．６５５７，Ｅ１３９．６６７５」に最も近い場合は、複合機ＩＤ「０１００」を、印刷情報を送信すべき複合機であると特定する。
【００６１】
なお、携帯電話機４は、内蔵されたＧＰＳ機能等により現在位置を取得する。また、取得した現在位置は無線通信網を介して印刷サーバ１に送信するものでもよいし、ネットワーク５を介して送信するものであってもよい。
【００６２】
次に、印刷情報送信手段１０５は、印刷情報特定手段１０３が特定した印刷情報１１２（「Ａ」、「Ｂ」又は「Ｃ」のうち利用者が選択したもの）を、複合機特定手段１０４が特定した複合機３（複合機ＩＤ「０１００」）に送信する。
【００６３】
（３）印刷動作
次に、複合機３は、印刷サーバ１から印刷情報１１２を受信し、印刷準備が完了した旨及び印刷実行のためのボタン表示を表示部に表示する。
【００６４】
利用者は、印刷を実行させるべく複合機３を操作し、複合機３は操作に応じて印刷を実行する。
【００６５】
（実施の形態の効果）
上記した実施の形態によると、携帯電話機４から発信された通話の受信内容及び携帯電話機４の位置情報に応じて、印刷すべき印刷情報及び印刷を実行すべき複合機３を特定したため、従来のように予約番号の入力を要求していた場合に比べて、印刷に要する手順を減少することができる。また、利用者の有する携帯電話機４の番号という固有の情報を利用して上記の動作を行うため、セキュリティの安全性を保持することができる。
【００６６】
［変形例］
複合機特定手段１０４は、ステップＳ１３において、携帯電話機４から受信する位置情報と、記憶部１１に記憶された複合機情報１１４とに基づいて印刷情報１１２を送信すべき複合機を特定する代わりに、「（１）印刷情報の受付動作」において印刷情報を登録する際に予め印刷を実行する複合機を指定しておいてもよい。
【００６７】
また、ステップＳ１０において、電話受信部１３が携帯電話機４からの電話を受信する際に、通信回線を逆探知して携帯電話機４の位置情報を取得してもよい。
【００６８】
また、ステップＳ１０において、電話受信部１３が携帯電話機４からの電話を受信した際に、利用者識別情報と対応付けたワンタイムパスワードを発行し、音声にて利用者に通知してもよい。ワンタイムパスワードは、通話中のみ有効であり、印刷関連情報１１３の予約番号より短いものであるとする。利用者が複合機３の操作部を操作してワンタイムパスワードを入力することで、複合機３はワンタイムパスワードを印刷サーバ１に送信する。
【００６９】
なお、上記したワンタイムパスワードを用いた場合、同一の場所に設置された複数の複合機の周辺で、同時期に複数の利用者から電話の着信があった場合にも、ワンタイムパスワードを複合機に入力するため、利用者と印刷情報とをそれぞれ正しく対応させることができる。
【００７０】
［他の実施の形態］
なお、本発明は、上記実施の形態に限定されず、本発明の趣旨を逸脱しない範囲で種々な変形が可能である。例えば、携帯電話機４からの通話の受信に限らず、固有のメールアドレスからのメールの受信等を代わりに利用してもよい。
【００７１】
上記実施の形態では制御部１０内の各手段１００〜１０５の機能をプログラムで実現したが、各手段１００〜１０５の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００７２】
１     印刷サーバ
２     端末装置
３     複合機
４     携帯電話機
５     ネットワーク
６     印刷システム
１０   制御部
１１   記憶部
１２   通信部
１３   電話受信部
１００ 印刷情報受付手段
１０１ 印刷情報登録手段
１０２ 印刷情報特定手段
１０３ 複合機特定手段
１０４ 印刷情報送信手段
１０５ 印刷情報一覧作成手段
１１０ 印刷プログラム
１１１ 利用者情報
１１２ 印刷情報
１１３ 印刷関連情報
１１４ 複合機情報
２００ 印刷情報
【図１】
2013065263.tif 000003
【図２】
2013065263.tif 000004
【図３】
2013065263.tif 000005
【図４】
2013065263.tif 000006
【図５】
2013065263.tif 000007
【図６】
2013065263.tif 000008